(57)【特許請求の範囲】
【請求項１】
円柱状の本体の軸線を中心に雌ねじが形成され軸線方向所定位置のみの外周に嵌合外形部の突設されたナットコアと、
六角柱状の本体の軸線を中心に前記ナットコアの挿入される中空部が形成され該中空部の軸線方向所定位置のみに前記嵌合外形部と嵌合して前記ナットコアとの相対回転を規制する嵌合内形部の形成されたナットカバーと、
前記ナットコアと前記ナットカバーとの間に突出するマグネットピンを有し前記ナットコアと前記ナットカバーとの軸線方向の相対移動を規制して前記嵌合外形部と前記嵌合内形部とが嵌合する位置又は嵌合しない位置のいずれかに前記ナットコアと前記ナットカバーとを位置規制する位置規制手段と、
一端の開口した筒状本体の内壁側に磁石を有し前記ナットカバーに外挿されることで該磁石の磁力によって前記マグネットピンの突出を後退させて前記ナットコアと前記ナットカバーとの軸線方向の移動を可能にする鍵と、
を具備し、
前記位置規制手段によって、前記ナットコアと前記ナットカバーとの軸線方向の相対位置が、前記嵌合外形部と嵌合内形部とが嵌合する位置とされた際は、該ナットコアとナットカバーとの相対回転を不能とし、該ナットカバーの回転とともに前記ナットコアが回転となり、
前記位置規制手段によって、前記ナットコアと前記ナットカバーとの軸線方向の相対位置が、前記嵌合外形部と嵌合内形部とが嵌合しない位置とされた際は、前記ナットコアとナットカバーとの相対回転を可能とし、該ナットカバーが前記ナットコアに対して空転されることを特徴とする螺合具。
【請求項２】
複数の前記マグネットピンが前記ナットコアの軸線を中心とした円周方向の任意位置に配設され、
複数の前記磁石が前記筒状本体の円周方向に、前記マグネットピンに対応して配設されたことを特徴とする請求項１記載の螺合具。
【請求項３】
前記ナットコアと前記ナットカバーとの間に、該ナットコアと該ナットカバーとを軸線方向で離反させる方向に付勢する圧縮バネが設けられていることを特徴とする請求項１又は２記載の螺合具。
【発明の詳細な説明】
【０００１】
【発明の属する技術分野】
本発明は、雄ねじに対するナットの自由な螺合解除を防止する螺合具に関し、例えばタイヤ盗難防止用のナットとして用いて好適なものである。
【０００２】
【従来の技術】
例えば、タイヤの盗難を防止するには、雄ねじに対するナットの自由な螺合解除を行えないようにするのが有効な手段の一つとなる。
この種の従来技術として、例えば特開平８−１１４２１４号公報に開示される「盗難防止のための自動車タイヤ取付用のナットとナットカバー及び保護用カバー」を、図７を参照して説明する。
【０００３】
円錐台状のナット１の底部には、溝３が形成されている。ナット１と別体で形成した六角ナットカバー５には、溝３に食い込む形状の突起７が突設される。タイヤの固定に際しては、ナット１の頭部１ａに、六角ナットカバー５を被せ、ねじ９で固定し、一体となったナット１及び六角ナットカバー５を、六角レンチを使って雄ねじ（図示せず）に締付け、タイヤ（図示せず）を固定する。その後、六角ナットカバー５を外し、保護用ナットカバー１１を取付け、再びねじ９で固定する。
【０００４】
このように構成されるナットとナットカバー及び保護用カバーによれば、保護用ナットカバー１１を外してナット１を緩めようとしても、ナット１が円錐台状のため、六角レンチ又はスパナが使用できず、ナットが螺合解除されることによるタイヤの盗難を防止することができる。
また、ナット１に形成する溝３と、六角ナットカバー５に形成する突起７とを固有の形状とすれば、鍵としての作用も付加することができる。
【０００５】
【発明が解決しようとする課題】
しかしながら、上述した「盗難防止のための自動車タイヤ取付用のナットとナットカバー及び保護用カバー」は、ナット１の外周に、保護用ナットカバー１１を取付けるため、外径寸法が大きくなる欠点があった。
また、ナット１と別体で形成した六角ナットカバー５を、螺合又は螺合解除の都度、ねじ９を用いて固定しなければならず、作業が煩雑となった。
さらに、保護用ナットカバー１１を取付けた後には、六角ナットカバー５を保管しておかなければならず、この六角ナットカバー５を紛失すれば、ナット１の螺合解除が不能となる虞れがあった。
【０００６】
本発明は上記状況に鑑みてなされたもので、現状のナットと外径寸法を同じに形成することができ、しかも、ナットカバーの紛失を防止することのできる螺合具を提供することにある。
【０００７】
【課題を解決するための手段】
次に、上記の課題を解決するための手段を、実施の形態に対応する図面を参照して説明する。
本発明の請求項１記載の螺合具２１は、円柱状の本体２９の軸線３１を中心に雌ねじ３３が形成され軸線方向所定位置のみの外周に嵌合外形部３５の突設されたナットコア２３と、
六角柱状の本体４１の軸線３１を中心に前記ナットコア２３の挿入される中空部４３が形成され該中空部４３の軸線方向所定位置のみに前記嵌合外形部３５と嵌合して前記ナットコア２３との相対回転を規制する嵌合内形部４５の形成されたナットカバー２５と、
前記ナットコア２３と前記ナットカバー２５との間に突出するマグネットピン５３を有し前記ナットコア２３と前記ナットカバー２５との軸線方向の相対移動を規制して前記嵌合外形部３５と前記嵌合内形部４５とが嵌合する位置又は嵌合しない位置のいずれかに前記ナットコア２３と前記ナットカバー２５とを位置規制する位置規制手段５１と、
一端の開口した筒状本体６１の内壁側に磁石６３を有し前記ナットカバー２５に外挿されることで該磁石６３の磁力によって前記マグネットピン５３の突出を後退させて前記ナットコア２３と前記ナットカバー２５との軸線方向の移動を可能にする鍵２７と、
を具備し、
前記位置規制手段５１によって、前記ナットコア２３と前記ナットカバー２５との軸線方向の相対位置が、前記嵌合外形部３５と嵌合内形部４５とが嵌合する位置とされた際は、該ナットコア２３とナットカバー２５との相対回転を不能とし、該ナットカバー２５の回転とともに前記ナットコア２３が回転となり、
前記位置規制手段５１によって、前記ナットコア２３と前記ナットカバー２５との軸線方向の相対位置が、前記嵌合外形部３５と嵌合内形部４５とが嵌合しない位置とされた際は、前記ナットコア２３とナットカバー２５との相対回転を可能とし、該ナットカバー２５が前記ナットコア２３に対して空転されることを特徴とする。
【０００８】
この螺合具２１では、雌ねじ３３の形成されたナットコア２３の外周にナットカバー２５が外挿され、ナットコア２３とナットカバー２５との間に、両者を軸線方向に位置規制する位置規制手段５１が設けられ、この位置規制手段５１による位置規制が、鍵２７に設けられた磁石６３の磁力によって解除される。従って、現状のナットの雌ねじをナットコア２３の内周に形成し、現状のナットの六角形状をナットカバー２５の外周に形成することで、外径寸法が現状のナットと同一に形成可能になる。また、ナットコア２３とナットカバー２５とが一体に構成されて使用されるので、従来、必要であった別体の六角ナットカバー等の保管が不要になり、その紛失も生じなくなる。
【０００９】
請求項２記載の螺合具２１は、複数の前記マグネットピン５３が前記ナットコア２３の軸線３１を中心とした円周方向の任意位置に配設され、
複数の前記磁石６３が前記筒状本体６１の円周方向に、前記マグネットピン５３に対応して配設されたことを特徴とする。
【００１０】
この螺合具２１では、ナットカバー２５に鍵２７が外挿されると、円周方向に設けられた複数のマグネットピン５３に対し、鍵２７の筒状本体６１に配設された複数の磁石６３が一致し、全てのマグネットピン５３が突出位置から同時に後退して、ナットコア２３とナットカバー２５との軸線方向の移動が可能になる。すなわち、マグネットピン５３の配列に対応した特定の配列の磁石６３を有する鍵２７のみが鍵として作用するようになる。
【００１１】
請求項３記載の螺合具２１は、前記ナットコア２３と前記ナットカバー２５との間に、該ナットコア２３と該ナットカバー２５とを軸線方向で離反させる方向に付勢する圧縮バネ７１が設けられていることを特徴とする。
【００１２】
この螺合具２１では、鍵２７がナットカバー２５に外挿され、マグネットピン５３が突出位置から後退すると、ナットコア２３に対するナットカバー２５の軸線方向の移動が可能になり、圧縮バネ７１によってナットカバー２５が自動的に移動され、鍵２７による解錠動作が明確に確認可能になる。
【００１３】
【発明の実施の形態】
以下、本発明に係る螺合具の好適な実施の形態を図面を参照して詳細に説明する。
図１は本発明に係る螺合具の分解斜視図、図２は図１の螺合具の鍵を外挿した状態の断面図、図３は鍵の開口部を軸線方向から見た正面図、図４は図２に示したナットコア及びナットカバーのＡ−Ａ矢視図、図５はナットコアとナットカバーとが離反する方向に移動した状態の螺合具の断面図である。
【００１４】
本実施の形態による螺合具２１は、ナットコア２３と、ナットカバー２５と、鍵２７とに大別して構成される。
ナットコア２３は、略円柱状に形成され、本体２９の一端２９ａ側に、軸線３１を中心に雌ねじ３３が形成されている。ナットコア２３の外周には軸線方向所定位置のみ、本実施の形態では他端２９ｂ側に位置して断面略六角形状に形成されるとともに、突条部分を設けた多角形状の嵌合外形部３５が突設されている。なお、この嵌合外形部３５の断面形状は、六角形状の他、三角形状、四角形状、八角形状等の多角形であってもよい。また、ナットコア２３の嵌合外形部３５に隣接する一端２９ａ側の外周部には嵌合外形部３５の最小直径（外径）と同じ直径若しくはそれより小さい直径の断面円形状の円周部３７が形成されている。
【００１５】
円周部３７の一端２９ａには六角板状のフランジ部３９が形成され、フランジ部３９の端面には上述の雌ねじ３３が開口している。なお、このフランジ部３９の六角形状は、ナットカバー２５の外形の六角形状と一致している。
雌ねじ３３は、タイヤのディスクホイールを貫通したボルト（図示せず）に螺合される。なお、フランジ部３９は、円盤形状に形成されてもよい。
【００１６】
ナットカバー２５は、六角柱形状に形成され、本体４１の一端４１ａ側に、軸線３１を中心にナットコア２３の挿入される中空部４３が形成されている。
中空部４３の内周には軸線方向所定位置のみ、本実施の形態では一端４１ａ側に嵌合内形部４５が形成されている。嵌合内形部４５は、上述したナットコア２３の嵌合外形部３５に嵌合して、ナットコア２３との相対回転を規制する断面六角形状で形成されている。ナットカバー２５の嵌合内形部４５に隣接する他端４１ｂ側となる内周部には嵌合内形部４５の最大直径（内径）と同じ直径若しくはそれより大きい直径の断面円形状の円周部４７が形成されている。
【００１７】
ナットコア２３とナットカバー２５との間には、位置規制手段５１が設けられる。
位置規制手段５１は、ナットコア２３とナットカバー２５との間に突出するマグネットピン５３と、ナットコア２３の本体他端２９ｂ側に位置しマグネットピン５３をナットコア２３に後退させる収納孔５５と、マグネットピン５３と収納孔５５との間に配設される圧縮コイルバネよりなるバネ５７と、中空部４３の内壁に形成された周方向に平行な二つの周溝５９ａ，５９ｂとから構成される。
【００１８】
マグネットピン５３は、外部から磁力による反発力を受けることで、バネ５７の付勢力に抗して収納孔５５内に収容されるようになっている。一方、外部からの磁力による反発力がない状態では、バネ５７の付勢力により突出し、先端が中空部４３の内壁に当接するようになっている。
【００１９】
マグネットピン５３は、ナットコア２３とナットカバー２５とが軸線方向に相対移動され、周溝５９ａ又は５９ｂの位置に一致すると、この周溝５９ａ又は５９ｂ内に突出し、ナットコア２３とナットカバー２５との軸線方向の相対移動を規制するようになっている。
【００２０】
この際、マグネットピン５３と一方の周溝５９ａとが係合した状態では、ナットコア２３の嵌合外形部３５が、ナットカバー２５の円周部４７に一致し、ナットコア２３とナットカバー２５とが相対回転可能になる。
【００２１】
また、マグネットピン５３と他方の周溝５９ｂとが係合した状態では、ナットコア２３の嵌合外形部３５が、ナットカバー２５の嵌合内形部４５に一致することとなり、ナットコア２３とナットカバー２５とが相対回転不能になる。
【００２２】
つまり、位置規制手段５１は、嵌合外形部３５と嵌合内形部４５とが嵌合する位置又は嵌合しない位置のいずれか一方に、ナットコア２３とナットカバー２５とを位置規制するようになっている。
そして、この位置規制手段５１のマグネットピン５３は、ナットコア２３の軸線３１を中心とした円周方向の任意位置に配設されている。
【００２３】
鍵２７は、ナットカバー２５が嵌挿可能に一端６１ａに開口した筒状本体６１の内壁側に、複数の磁石６３が、前述したマグネットピン５３に対応して円周方向に配設されている。
この磁石６３は、マグネットピン５３に対して反発力を生じさせる極性の向きで取り付けられている。
つまり、鍵２７は、ナットカバー２５に外挿されることで、磁石６３の磁力によってマグネットピン５３の突出を後退させて、ナットコア２３とナットカバー２５との軸線方向の移動を可能にしている。
【００２４】
ナットコア２３とナットカバー２５との間にはコイルバネよりなる圧縮バネ７１が配設され、圧縮バネ７１はナットコア２３とナットカバー２５とを軸線方向で離反させる方向に付勢している。
【００２５】
なお、ナットコア２３の他端２９ｂには、収納孔５５の設けられた短尺な円筒状の大径部７３が形成され、大径部７３は嵌合内形部４５に軸線方向で当接することで、ナットカバー２５からのナットコア２３の脱落を防止している。
【００２６】
また、ナットカバー２５の他端４１ｂには蓋部材７５が固着され、蓋部材７５は螺合具２１の製造組立時において、ナットカバー２５内への大径部７３及び圧縮バネ７１の組付けを可能にしている。
【００２７】
次に、このように構成された螺合具２１の作用を説明する。
図６は本発明に係る螺合具の螺合解除の手順を（ａ）〜（ｃ）で示した説明図である。
【００２８】
螺合具２１がディスクホイールに装着されているとき、図２，図６（ａ）に示すように、ナットコア２３の嵌合外形部３５が、ナットカバー２５の円周部４７に配置されているので、ナットカバー２５はナットコア２３に対して空転する。従って、レンチやスパナでナットカバー２５を回しても、ナットコア２３は回転せず、ディスクホイールから外すことができない。
【００２９】
次に、図６（ａ）に示すように、鍵２７をナットカバー２５の先端側から外挿し、図６（ｂ）に示すように、鍵２７を回して、鍵２７の磁石６３と、ナットコア２３のマグネットピン５３との位置を合わせると、各マグネットピン５３が収納孔５５に引っ込み、また、嵌合外形部３５と嵌合内形部４５とが一致して、図５，図６（ｃ）に示すように、ナットコア２３に対してナットカバー２５がスライドされる。この際、ナットカバー２５は、圧縮バネ７１の付勢力により自動的に飛び出す。
【００３０】
ナットカバー２５がナットコア２３に対して飛び出した状態では、ナットコア２３の嵌合外形部３５と、ナットカバー２５の嵌合内形部４５とが嵌合しているので、レンチやスパナでナットカバー２５を回すと、ナットコア２３も回転し、螺合具２１のディスクホイールからの脱着が可能になる。
【００３１】
また、ナットコア２３とナットカバー２５とは、嵌合外形部３５と嵌合内形部４５が嵌合しているときも、マグネットピン５３が周溝５９ｂに係合しているので、軸線方向に相対移動して空転状態に戻ることがない。
【００３２】
空転状態、すなわち、ディスクホイールへの装着状態に戻すときには、再度鍵２７をナットカバー２５に外挿し、マグネットピン５３を引っ込めてからナットカバー２５を押し込んで、図２に示す状態とし、ディスクホイールへの装着が完了する。
【００３３】
この螺合具２１では、現状のナットの雌ねじをナットコア２３の内周に形成し、現状のナットの六角形状をナットカバー２５の外周に形成することで、外径寸法が現状のナットと同一に形成可能になる。また、ナットコア２３とナットカバー２５とが一体で使用されるので、従来、必要であった別体の六角ナットカバー等の保管が不要になり、また、その紛失も生じなくなる。
【００３４】
そして、マグネットピン５３の配列に対応して磁石６３を配列することで、特定の鍵２７のみが鍵として作用するようになる。
【００３５】
さらに、鍵２７がナットカバー２５に外挿され、マグネットピン５３が突出位置から後退すると、圧縮バネ７１によってナットカバー２５が自動的に軸線方向に移動され、すなわちナットコア２３に対してナットカバー２５が飛び出した状態となることから、鍵による解錠動作が明確に確認可能になる。
【００３６】
このように、上述の螺合具２１によれば、従来のようにナットにカバーを被せるのでなく、ナット自体に施・解錠機能を付加し、鍵２７を使用しないとナットが螺合解除されないようにしたので、現状のナットと外径寸法を同じに形成することができる。
【００３７】
また、ナットコア２３とナットカバー２５によって一体構成されるので、別体のカバーを被せる従来のナット外し防止装置で生じたカバーの紛失を防止することができる。
【００３８】
なお、上述の実施の形態では、螺合具２１を、タイヤ盗難防止のために用いた場合を例に説明したが、本発明に係る螺合具は、この他、自由なナットの螺合解除を防止する例えば公共構造物のナット締結部（送電鉄塔のナット締結部、列車軌道レールのナット締結部等）にも好適に用いて上述同様の作用、効果を奏するものである。
【００３９】
【発明の効果】
以上詳細に説明したように、本発明に係る螺合具は、雌ねじの形成されたナットコアの外周にナットカバーを外挿し、ナットコアとナットカバーとの間に、両者を軸線方向に位置規制する位置規制手段を設け、この位置規制手段による位置規制を、鍵に設けた磁石の磁力によって解除するようにしたので、現状のナットと外径寸法を同じに形成することが可能になり、従来のナット外し防止装置に比べて外形をスリムにすることができる。
【００４０】
また、ナットコアとナットカバーとが一体に構成されるので、別体のカバーを被せる従来のナット外し防止装置で生じたカバーの煩雑な取り扱いや紛失などが発生することがなく、取り扱いが容易であるとともに、確実に螺合状態の解除を防止できる。
【図面の簡単な説明】
【図１】本発明に係る螺合具の分解斜視図である。
【図２】図１の螺合具の鍵を外挿した状態の断面図である。
【図３】鍵の開口部を軸線方向から見た正面図である。
【図４】図２に示したナットコア及びナットカバーのＡ−Ａ矢視図である。
【図５】ナットコアとナットカバーとが離反する方向に移動した状態の螺合具の断面図である。
【図６】本発明に係る螺合具の螺合解除の手順を（ａ）〜（ｃ）で示した説明図である。
【図７】従来の盗難防止のための自動車タイヤ取付用のナットとナットカバー及び保護用カバーの側面図である。
【符号の説明】
２１…螺合具
２３…ナットコア
２５…ナットカバー
２７…鍵
２９…円柱状の本体
３１…軸線
３３…雌ねじ
３５…嵌合外形部
４１…六角柱状の本体
４３…中空部
４５…嵌合内形部
５１…位置規制手段
５３…マグネットピン
６１…筒状本体
６３…磁石
７１…圧縮バネ
【図１】
0004112138.tif 000002
【図２】
0004112138.tif 000003
【図３】
0004112138.tif 000004
【図４】
0004112138.tif 000005
【図５】
0004112138.tif 000006
【図６】
0004112138.tif 000007
【図７】
0004112138.tif 000008